(57)【特許請求の範囲】
【請求項１】
ヘッドバンド(１)の両端部に左右一対のイアフォン(２)(３)を配備して構成され、両イアフォン(２)(３)には増幅回路(６)を経たオーディオ信号が供給されるヘッドフォンにおいて、両イアフォン(２)(３)はそれぞれヘッドバンド(１)の端部に枢支されて、ヘッドバンド(１)を頭部に装着した状態で両イアフォン(２)(３)が両耳を覆うこととなる第１の姿勢と、第１の姿勢から所定角度だけ回動した第２の姿勢の内、何れか一方の姿勢を選択的に設定することが可能であり、少なくとも何れか一方のイアフォンとヘッドバンドとの連結部には、該イアフォンの姿勢の変化に連動して切り替わる姿勢検出手段が取り付けられ、少なくとも何れか一方のイアフォンには、耳を覆うことによって切り替わる状態検出手段が設けられ、前記姿勢検出手段によって第１の姿勢が検知されたときは、前記増幅回路(６)のゲインを第１の値に設定し、前記姿勢検出手段によって第２の姿勢が検知され、且つ、前記状態検出手段によってイアフォンが耳を覆っていないことが検知されたときに限り、前記増幅回路(６)のゲインを前記第１の値よりも大きな第２の値に設定することを特徴とするヘッドフォン。
【請求項２】
左右一対のイアフォン(２)(３)の第２の姿勢は、第１の姿勢からヘッドバンド(１)の外側へ向けて一定角度だけ回動した姿勢である請求項１に記載のヘッドフォン。
【請求項３】
ヘッドバンド(１)と左右一対のイアフォン(２)(３)との連結部のそれぞれに前記姿勢検出手段が取り付けられており、両姿勢検出手段が共に第２の姿勢を検知したときに限り、前記増幅回路(６)のゲインを第２の値に設定する請求項１又は請求項２に記載のヘッドフォン。
【請求項４】
前記ゲインの第１の値は、左右一対のイアフォン(２)(３)を耳に当てた状態で適度な音量が得られることとなる大きさを有し、第２の値は、左右一対のイアフォン(２)(３)を耳から十分に離した状態で適度な音量が得られることとなる大きさを有している請求項１乃至請求項３の何れかに記載のヘッドフォン。
【発明の詳細な説明】
【０００１】
【発明の属する技術分野】
本発明は、オーディオ機器の音声出力を音響に変換するためのヘッドフォンに関し、特に、ヘッドバンドの両端部に左右一対のイアフォンを配備して構成されるヘッドフォンに関するものである。
【０００２】
【従来の技術】
従来のヘッドフォンにおいては、ヘッドバンドを頭部に装着することにより、左右一対のイアフォンが両耳を覆うこととなって、外部に音を漏らすことなく、適度な音量で音楽を聴くことが出来る。
【０００３】
【発明が解決しようとする課題】
しかしながら、従来のヘッドフォンは、それを装着している一人だけが音楽を楽しむことが出来るに過ぎず、複数人で共通の音楽を楽しむことが出来ない。
そこで本発明の目的は、複数人でも共通の音楽を楽しむことが出来るヘッドフォンを提供することである。
【０００４】
【課題を解決する為の手段】
本発明に係るヘッドフォンは、ヘッドバンド(１)の両端部に左右一対のイアフォン(２)(３)を配備して構成され、両イアフォン(２)(３)には増幅回路(６)を経たオーディオ信号が供給される。
該ヘッドフォンにおいて、両イアフォン(２)(３)はそれぞれヘッドバンド(１)の端部に枢支されて、ヘッドバンド(１)を頭部に装着した状態で両イアフォン(２)(３)が両耳を覆うこととなる第１の姿勢と、第１の姿勢から所定角度だけ回動した第２の姿勢の内、何れか一方の姿勢を選択的に設定することが可能である。
又、少なくとも何れか一方のイアフォンとヘッドバンド(１)との連結部には、該イアフォンの姿勢の変化に連動して切り替わる姿勢検出手段が取り付けられ、少なくとも何れか一方のイアフォンには、耳を覆うことによって切り替わる状態検出手段が設けられている。
そして、前記姿勢検出手段によって第１の姿勢が検知されたときは、前記増幅回路(６)のゲインを第１の値に設定し、前記姿勢検出手段によって第２の姿勢が検知され、且つ、前記状態検出手段によってイアフォンが耳を覆っていないことが検知されたときに限り、前記増幅回路(６)のゲインを前記第１の値よりも大きな第２の値に設定する。
【０００５】
尚、前記ゲインの第１の値は、左右一対のイアフォン(２)(３)を耳に当てた状態で適度な音量が得られることとなる大きさを有し、第２の値は、左右一対のイアフォン(２)(３)を耳から十分に離した状態で適度な音量が得られることとなる大きさを有している。
又、姿勢検出手段及び状態検出手段はそれぞれ、周知のオン／オフスイッチ等によって構成することが出来る。
【０００６】
上記本発明のヘッドフォンによれば、一人で音楽を楽しむ場合は、左右一対のイアフォン(２)(３)を第１の姿勢に設定する。これによって姿勢検出手段が切り替わって、第１の姿勢の設定が検知され、増幅回路(６)のゲインが第１の値に設定される。ヘッドバンド(１)を頭部に装着することによって、左右のイアフォン(２)(３)が左右の耳を覆い、これによって状態検出手段が切り替わる。この状態で、両イアフォン(２)(３)からは、小さな音量で音響が放出されることになる。
従って、ヘッドフォンを装着した聴取者は、適度な音量で音楽を聴くことが出来る。
【０００７】
一方、複数人で共通の音楽を楽しむ場合は、左右一対のイアフォン(２)(３)を第１の姿勢から第２の姿勢に切り換えて、複数人の聴取者の傍に置く。この姿勢の変化に連動して姿勢検出手段が切り替わり、第２の姿勢の設定が検知される。又、状態検知手段によって、イアフォンが耳を覆っていないことが検知される。これによって、増幅回路(６)のゲインが第２の値に設定される。この結果、両イアフォン(２)(３)からは、大きな音量で音響が放出されることになる。
従って、複数人の聴取者は、適度な音量で共通の音楽を楽しむことが出来る。
又、複数人で音楽を楽しむべく、イアフォン(２)(３)を第２の姿勢に設定している状態で、その内の一人がイアフォンを耳に当てたとしても、この状態が状態検出手段によって検出され、増幅回路(６)のゲインは強制的に第１の値に切り換えられる。従って、大きな音量の音響が耳に直接に入る虞れはなく、安全である。
【０００８】
具体的構成には、左右一対のイアフォン(２)(３)の第２の姿勢は、第１の姿勢からヘッドバンド(１)の外側へ向けて一定角度(例えば略９０°)だけ回動した姿勢に設定される。
これによって、左右一対のイアフォン(２)(３)が第２の姿勢で略同一方向に向くこととなり、周囲の多くの聴取者に向けて音響を放出することが出来る。
【０００９】
更に具体的な構成においては、ヘッドバンド(１)と左右一対のイアフォン(２)(３)との連結部のそれぞれに前記姿勢検出手段が取り付けられており、両姿勢検出手段が共に第２の姿勢を検知したときに限り、前記増幅回路(６)のゲインを第２の値に設定する。
該具体的構成によれば、ヘッドフォンの装着状態の不良などに起因して、何れか一方の姿勢検出手段が第２の姿勢を検知したとしても、他方の姿勢検出手段は第１の姿勢を検知しているので、増幅回路(６)のゲインが第２の値に設定されることはない。従って、ヘッドフォンを装着している状態でイアフォン(２)(３)から大きな音量の音響が発せられる虞れはなく、安全である。
【００１１】
【発明の効果】
本発明に係るヘッドフォンによれば、一人に限らず、複数人でも共通の音楽を楽しむことが出来るので、便利である。
【００１２】
【発明の実施の形態】
以下、本発明の実施の形態につき、図面に沿って具体的に説明する。
本発明に係るヘッドフォンにおいては、図１及び図２に示す如く、弾性部材からなるアーチ状のヘッドバンド(１)の両端部に、左右一対のイアフォン(２)(３)が、ヘッドバンド(１)の弾性方向と同一方向に回動可能に連結されており、ヘッドバンド(１)を頭部に装着し左右一対のイアフォン(２)(３)を耳に当てて音楽を楽しむための第１の姿勢(図１)と、ヘッドバンド(１)を頭部に装着せず両イアフォン(２)(３)から放音される音楽を複数人で楽しむための第２の姿勢(図２)の内、何れか一方の姿勢を選択的に設定することが可能である。
尚、左側のイアフォン(２)には左チャンネルスピーカ(４)が内蔵され、右側のイアフォン(３)には右チャンネルスピーカ(５)が内蔵されている。
【００１３】
ヘッドバンド(１)と両イアフォン(２)(３)との連結部にはそれぞれ、周知の枢機機構(図示省略)が設けられ、各枢支機構には、イアフォン(２)(３)を図１に示す第１の姿勢と図２に示す第２の姿勢のそれぞれで軟係止するための周知の軟係止機構(図示省略)が組み込まれている。
【００１４】
又、ヘッドバンド(１)の両端部にはそれぞれ、各イアフォン(２)(３)の姿勢の変化に伴って切り替わる第１及び第２スイッチＳＷ１、ＳＷ２が配備されており、これらのスイッチは、図１の第１の姿勢ではオフに維持され、図２の第２の姿勢では、イアフォン(２)(３)に押圧されてオンとなる。
更に、両イアフォン(２)(３)の内面には、イアフォン(２)(３)を耳に押し当てることによってオフからオンに切り替わる第３及び第４スイッチＳＷ３、ＳＷ４が配備されている。
尚、これらのスイッチの取り付けには、ヘッドバンドやイアフォンの表面に露出させて取り付ける方式や、イアフォンのパッドの内側に埋設する方式等を採用することが出来る。
【００１５】
図３は、上記ヘッドフォンの電気的な構成を表わしており、ＭＤプレーヤ等のオーディオ機器から入力される左チャンネルオーディオ信号ＡＬ及び右チャンネルオーディオ信号ＡＲが、ゲイン調整の可能な周知の増幅回路(６)を経て、左チャンネルスピーカ(４)及び右チャンネルスピーカ(５)へ供給されている。これによって、各オーディオ信号が音響に変換されて放音される。
上述の４つのスイッチＳＷ１〜ＳＷ４は制御回路(７)に接続されており、該制御回路(７)によって作成される制御信号(ＳＰ信号)が増幅回路(６)へ供給されて、後述の如くゲイン調整が行なわれる。
【００１６】
制御回路(７)はアンドゲート(８)を具えており、第１及び第２スイッチＳＷ１、ＳＷ２からのオン／オフ信号が反転されてアンドゲート(８)に入力されると共に、第３及び第４スイッチＳＷ３、ＳＷ４からのオン／オフ信号が反転されることなくアンドゲート(８)に入力されている。そして、該アンドゲート(８)の出力信号がＳＰ信号として出力される。
【００１７】
図４は、各スイッチＳＷ１〜ＳＷ４のオン／オフ状態と、ＳＰ信号のレベルと、増幅回路(６)に設定されるゲインの大小の関係を表わしている。
イアフォン(２)(３)を第１の姿勢(図１)に設定したとき、上述の如く第１及び第２スイッチＳＷ１、ＳＷ２は共にオフとなり、該ヘッドフォンを装着することによって、第３及び第４スイッチＳＷ３、ＳＷ４が共にオンとなる。この結果、制御回路(７)から出力されるＳＰ信号はロー(Ｌ)となって、増幅回路(６)は通常の低い値(第１の値)のゲインに設定される(ヘッドフォンモード)。
これによって、イアフォン(２)(３)からは小さな音量の音響が発せられて、ヘッドフォンを装着した聴取者は、適度な音量で音楽を聴くことが出来る。
【００１８】
これに対し、イアフォン(２)(３)を第２の姿勢(図２)に設定して、該ヘッドフォンを複数人の聴取者の前に置いたときは、上述の如く第１及び第２スイッチＳＷ１、ＳＷ２は共にオンとなり、第３及び第４スイッチＳＷ３、ＳＷ４が共にオフとなる。この結果、制御回路(７)から出力されるＳＰ信号はハイ(Ｈ)となって、増幅回路(６)は通常よりも大きな値(第２の値)のゲインに設定される(スピーカモード)。
これによって、イアフォン(２)(３)からは大きな音量の音響が発せられて、ヘッドフォンを前にした複数人の聴取者は、十分な音量で音楽を聴くことが出来る。
【００１９】
仮に、イアフォン(２)(３)を第２の姿勢(図２)に設定した状態で、該ヘッドフォンを頭部に装着し、若しくは一方のイアフォンを耳に当てたとすると、第１及び第２スイッチＳＷ１、ＳＷ２は共にオンのまま、第３及び第４スイッチＳＷ３、ＳＷ４の両方、若しくは一方がオンとなる。この結果、制御回路(７)から出力されるＳＰ信号はロー(Ｌ)となって、増幅回路(６)のゲインは第１の値に設定される(異常モード)。
これによって、イアフォン(２)(３)から発せられる音響の音量は小さく絞られ、大きな音量の音響が直接に耳に入る事態が回避される。
【００２０】
上述の如く本発明に係るヘッドフォンによれば、従来と同様に頭部に装着してイアフォン(２)(３)を耳に当てることによって、ヘッドフォンモードが設定されて、一人で音楽を聴くことが出来ると共に、イアフォン(２)(３)の向きを変えるだけのワンタッチ操作によって、スピーカモードが設定されて、複数人で共通の音楽を楽しむことが出来るので、便利である。
【００２１】
尚、本発明の各部構成は上記実施の形態に限らず、特許請求の範囲に記載の技術的範囲内で種々の変形が可能である。例えば、図３に示す実施例では、ヘッドフォンに増幅回路(６)を内蔵しているが、制御回路(７)から出力されるＳＰ信号をオーディオ機器へ供給することによって、オーディオ機器に内蔵されている増幅回路のゲインを調整することも可能である。
又、各スイッチＳＷ１〜ＳＷ４は、接点を有するオン／オフスイッチに限らず、無接点式のオン／オフスイッチやセンサー等、周知の種々の検知手段によって構成することが出来る。
【図面の簡単な説明】
【図１】本発明に係るヘッドフォンのヘッドフォンモードにおける外観を示す斜視図である。
【図２】該ヘッドフォンのスピーカモードにおける外観を示す斜視図である。
【図３】該ヘッドフォンの電気的な構成を示すブロック図である。
【図４】スイッチのオン／オフに応じたモード設定を説明する図表である。
【符号の説明】
(１)  ヘッドバンド
(２)  イアフォン
(３)  イアフォン
(４)  左チャンネルスピーカ
(５)  右チャンネルスピーカ
(６)  増幅回路
(７)  制御回路
(８)  アンドゲート
【図１】
0003948880.tif 000002
【図２】
0003948880.tif 000003
【図３】
0003948880.tif 000004
【図４】
0003948880.tif 000005